(57)【特許請求の範囲】
【請求項１】
（イ）水槽の排水口を開閉する排水栓と、（ロ）該排水栓を開閉操作する操作部と、（ハ）該排水栓を駆動する駆動部と、（ニ）該操作部からの操作力を該駆動部に伝達して該駆動部を働かせる操作力伝達部とを備えた排水栓装置において、
前記駆動部を空気圧により作動して前記排水栓を開閉操作するものとなすとともに、前記操作部を該駆動部に対して空気圧を供給操作するものとなし、且つ前記操作力伝達部を、それら操作部と駆動部とを連絡し内部の空気通路を通じて該駆動部に空気圧を導く空気管にて構成し、
前記操作部は、空気室と、該空気室の内部と外部とを連通させる空気孔と、該空気孔を遮断するシール部を有し、加えられた操作力により前記シール部で前記空気孔を閉鎖して前記空気室内に空気圧を発生させ、該操作力が除かれると前記シール部が前記空気孔を開放して該空気孔を通じて前記空気室及び前記空気管の内部を外部と連通させるものとなしてあり、
更に前記操作力伝達部には分岐部を設けて該分岐部から複数の枝部を分岐して延出させ、各枝部を対応する操作部に連結して、複数の操作部からの操作力を該操作力伝達部を介して前記駆動部に伝達するようになし、且つ該分岐部には、操作の行なわれた操作部と前記駆動部とを連通させ、他の操作部と該駆動部との連通を遮断するように空気の通路を切り替える切替弁が組み込んであることを特徴とする排水栓装置。
【請求項２】
請求項１に記載の排水栓装置において、前記切替弁は空気圧に基づいて弁の切替動作を行うものとなしてあることを特徴とする排水栓装置。
【発明の詳細な説明】
【０００１】
【発明の属する技術分野】
この発明は洗面器，浴槽等の水槽の排水口を開閉する装置として好適な排水栓装置に関し、詳しくは遠隔操作によって排水栓を開閉させる排水栓装置に関する。
【０００２】
【従来の技術】
従来、洗面器や浴槽等の底部の排水口を排水栓にて開閉する排水栓装置としてポップアップ式の排水栓装置が多く用いられている。
図８はその一例を示している。同図において２００は洗面器，浴槽等の水槽で、２０２はその底部２０４に設けられた排水口であり、２０６はその排水口２０２に設けられた排水栓である。
排水栓２０６は、上昇運動によって排水口２０２を開放し、また下降運動によって排水口２０２を閉鎖する。
【０００３】
２０８は排水栓２０６の中心部に下向きに固定的に設けられた支持軸で、２１０はその支持軸２０８を介して排水栓２０６を上昇運動、即ち開動作させ且つ開位置に保持する駆動部であって、上下に昇降運動する支持ピン２１２を有しており、その支持ピン２１２の上昇運動により支持軸２０８を介して排水栓２０６を開動作させ、また支持ピン２１２の下降運動により排水栓２０６を自重で閉動作させるものとされている。
【０００４】
２１４は駆動部２１０に備えられたスラストロック装置（ロック装置）で、このスラストロック装置２１４は、支持ピン２１２を上昇位置、即ち排水栓２０６を開位置に保持する動作と、支持ピン２１２を下降位置に保持して排水栓２０６を閉位置に保持する動作とを交互に繰り返して行う。
【０００５】
２１６は水槽２００の天板部２１８に設けられた遠隔操作用の操作部で操作部材２２０を有している。
この操作部２１６において操作部材２２０を下向きに押し込むと、その操作力が操作力伝達部としてのワイヤレリーズ２２２を介して駆動部２１０に伝えられて駆動部２１０が働き、排水栓２０６を上昇運動、即ち開動作させた上で、スラストロック装置２１４の作用によりこれを開位置に保持する。
更にもう一度操作部材２２０を下向きに押し込むと、スラストロック装置２１４によるロックが解除されて排水栓２０６が下降動作し、排水口２０２を閉鎖する。
【０００６】
ワイヤレリーズ２２２は可撓性且つ非伸縮性のアウターチューブ２２４と、その内部に挿通された可撓性且つ非伸縮性のインナーワイヤ２２６とを有しており、操作部２１６において操作部材２２０が下向きに押圧操作されると、インナーワイヤ２２６がアウターチューブ２２４内部を図中左向きに摺動して操作力を駆動部２１０に伝達する。
【０００７】
これを受けて駆動部２１０が排水栓２０６を開動作させ、そしてスラストロック装置２１４の作用で排水栓２０６を開位置に保持し、また次の操作部材２２０の操作によりその保持を解除して排水栓２０６を下降せしめる。
【０００８】
【発明が解決しようとする課題】
ところで従来のこの種ワイヤレリーズ式の遠隔操作式排水栓装置の場合、操作部を手操作することによって駆動部を働かせ、排水栓を開動作させるようになっており、この場合インナーワイヤの摺動抵抗が大きいこともあって操作が重く、操作性の点で十分でないといった問題があった。
【０００９】
またアウターチューブ２２４とインナーワイヤ２２６とから成るワイヤレリーズ２２２は価格の高いものであって、排水栓装置がコスト高となる問題がある外、アウターチューブ２２４及びインナーワイヤ２２６を急激に曲げるとインナーワイヤ２２６の摺動抵抗が大きくなって、操作部材２２０の操作が重くなる問題がある。
そのためアウターチューブ２２４及びインナーワイヤ２２６を緩やかに湾曲させる必要があり、この場合ワイヤレリーズ２２２の配設のために広いスペースが必要で、ワイヤレリーズ２２２及び操作部２１６等の配置のレイアウトに大きな制約がある問題があった。
【００１０】
またこの種排水栓装置の場合、インナーワイヤ２２６の摺動運動によって駆動部２１０における支持ピン２１２を下側から上向きに突き上げる必要がある関係上、排水筒２２８の内部においてアウターチューブ２２４及びインナーワイヤ２２６の先端部をスラストロック装置２１４の下側に配置した上、これを急激に曲げなければならず、そのために排水筒２２８内部においてスラストロック装置２１４の下側にワイヤレリーズ２２２の急激な湾曲部２２２ａのためのスペースを確保しておかなければならないとともに、その急激な湾曲部２２２ａにおいて操作の際の抵抗が大きくなり、また急激な湾曲に基づいて同部分で故障を生じ易いといった種々の問題が生じていた。
【００１１】
【課題を解決するための手段】
本発明の排水栓装置はこのような課題を解決するためになされたものである。
而して請求項１のものは、（イ）水槽の排水口を開閉する排水栓と、（ロ）該排水栓を開閉操作する操作部と、（ハ）該排水栓を駆動する駆動部と、（ニ）該操作部からの操作力を該駆動部に伝達して該駆動部を働かせる操作力伝達部とを備えた排水栓装置において、前記駆動部を空気圧により作動して前記排水栓を開閉操作するものとなすとともに、前記操作部を該駆動部に対して空気圧を供給操作するものとなし、且つ前記操作力伝達部を、それら操作部と駆動部とを連絡し内部の空気通路を通じて該駆動部に空気圧を導く空気管にて構成し、前記操作部は、空気室と、該空気室の内部と外部とを連通させる空気孔と、該空気孔を遮断するシール部を有し、加えられた操作力により前記シール部で前記空気孔を閉鎖して前記空気室内に空気圧を発生させ、該操作力が除かれると前記シール部が前記空気孔を開放して該空気孔を通じて前記空気室及び前記空気管の内部を外部と連通させるものとなしてあり、更に前記操作力伝達部には分岐部を設けて該分岐部から複数の枝部を分岐して延出させ、各枝部を対応する操作部に連結して、複数の操作部からの操作力を該操作力伝達部を介して前記駆動部に伝達するようになし、且つ該分岐部には、操作の行なわれた操作部と前記駆動部とを連通させ、他の操作部と該駆動部との連通を遮断するように空気の通路を切り替える切替弁が組み込んであることを特徴とする。
【００１２】
請求項２のものは、請求項１に記載の排水栓装置において、前記切替弁は空気圧に基づいて弁の切替動作を行うものとなしてあることを特徴とする。
【００１３】
【作用及び発明の効果】
上記請求項１の排水栓装置は、排水栓装置を空気圧作動式のものとなし且つ操作力伝達部を、空気圧を伝達する空気管にて構成したもので、この排水栓装置によれば以下の各種利点が得られる。
【００１４】
図８に示す従来のワイヤレリーズ式の排水栓装置の場合、操作部の配設位置に合わせて、即ち駆動部と操作部との間隔に合せて予め適正な長さでワイヤレリーズを製造しておくことが必要で、施工現場の状況に合わせて操作部の位置を変更するといったことが難しく、施工の自由度に乏しいといった問題が内在していたが、この請求項１の排水栓装置では、予め長尺の空気管を用意しておいて適宜の長さにこれを切断して駆動部ユニット及び操作部に接続し、駆動部と操作部とを連絡することが可能で、施工現場の状況に応じて施工することができ、施工性が良好であって施工の自由度も高いといった利点が得られる。
【００１５】
加えてこの請求項１の排水栓装置の場合、操作部からの操作力を駆動部に伝えるために単に空気圧を伝達するだけで良いので、空気管から成る操作力伝達部に分岐部を設けてそこから枝部を分岐して延出させ、その枝部を、対応する複数の操作部に連結してそれら複数の操作部からの操作力を駆動部に伝達するようになすことができる。
【００１６】
而してこのようにした場合、複数の操作部をそれぞれ別異の箇所に設けておいて、その何れかの操作部を操作することで排水栓を動作させることができ、排水栓装置の使い勝手が飛躍的に向上する。
【００１７】
この場合において上記分岐部には、操作の行われた操作部と駆動部とを連通させ、他の操作部と駆動部との連通を遮断するように空気の通路を切り替える切替弁を組み込んでおく。
このようにすれば、操作部の操作によって供給された空気圧が複数ある他の操作部側へと伝わって逃げてしまうといったことがなく、操作部の操作によって供給された空気圧を良好に駆動部に作用させることができ、排水栓を良好に動作させることができる。
【００１８】
ここで上記切替弁は、空気圧に基づいて弁の切替動作をなすようにしておくことができる（請求項２）。
このようにすれば、供給された空気圧によって自動的に弁の切替えを行うことができ、分岐部ないし切替弁の構造を簡素且つ安価に構成することができる。
また操作部の操作によって供給された空気圧を確実に駆動部へと伝達することができる。
【００１９】
【実施例】
次に本発明の実施例を図面に基づいて詳しく説明する。
図１において、１０は洗面器，浴槽等の水槽１２の底部で、この底部１０には開口１４が形成されており、そこに上端にフランジ１６を有する排水筒１８が下向きに挿通され、その排水筒１８の上端部内側に排水口２０が形成されている。
【００２０】
排水筒１８は、底部１０の下側において外周面に雄ねじを有していてその雄ねじに固定ナット２２が螺合され、その固定ナット２２の締込みに基づいて排水筒１８が底部１０に固定されている。
尚２４はシールのための三角パッキンである。
【００２１】
排水口２０には排水栓２６が装着されており、その排水栓２６の上昇・下降運動により排水口２０が開放及び閉鎖されるようになっている。
２８はこの排水栓２６の中心部において下向きに且つ固定的に設けられた支持軸で、その上端部が排水栓２６の嵌込孔に嵌込固定されている。
【００２２】
排水栓２６には、支持軸２８から放射状に延びる形態のガイド３０が設けられており、また一方支持軸２８の下端部には放射状のアーム３２を介して円筒形状のガイド３４が設けられ、それらガイド３０，３４の作用により、排水栓２６が円滑に昇降運動、即ち開閉動作するようになっている。
【００２３】
支持軸２８の下側には、排水栓２６を駆動するための駆動部３６が配設されている。
この駆動部３６は、排水栓２６に対する開位置の保持とその保持の解除とを交互に繰返し行うスラストロック装置（ロック装置）３８を備えている（図２参照）。
【００２４】
上記排水筒１８には保持部４０が形成されていて、その保持部４０にこのスラストロック装置３８が嵌合状態に取付保持されている。
一方、本例の排水栓装置においては排水栓２６を遠隔操作するための手操作式の操作部４２が複数（本例では２つ）設けられており、これら操作部４２と上記駆動部３６とが操作力伝達部４４にて互いに連絡されている。ここで操作力伝達部４４は空気管６０にて構成されている。
【００２５】
図２は上記駆動部３６の具体的構造を詳しく示した図である。
同図において、４６は駆動部３６における支持ピンであって、駆動部３６はこの支持ピン４６を上昇運動させることにより、支持軸２８を介して排水栓２６を開動作させるようになっている。
【００２６】
この支持ピン４６の上端部には、図２中上下方向に膨張・収縮動作するベローズ４８の上端部が、支持ピン４６に一体に形成されたフランジ５０と止め輪５２とにより固定されており、かかるベローズ４８の上端部が支持ピン４６と一体に上下運動するようになっている。
【００２７】
ここでベローズ４８はテフロン製のものが用いられている。尚後述する操作部４２のベローズ１５４もまたこの点同様である（図３参照）。このようにベローズ４８，１５４としてテフロン製のものを用いることで優れた耐久性を付与することができる。但しこれらベローズ４８，１５４として価格の安価なポリプロピレン製のもの或いはゴム製のもの等を用いることも可能である。
【００２８】
ここで支持ピン４６の上端部外周面とベローズ４８の上端部内周面との間にはＯリング５４が介装されており、そのＯリング５４により、それら支持ピン４６とベローズ４８との間が気密にシールされている。
【００２９】
本例においては、このベローズ４８と後述のスラストロック装置３８におけるケーシング５６とによって、それらの内部に第二空気室５８が形成されており、その第二空気室５８内部に上記支持ピン４６が挿入されている。
【００３０】
上記スラストロック装置３８は、円筒状のケーシング５６を有しており、その下端部に対して操作力伝達部４４を構成する可撓性の空気管６０の端部が後述の連絡管部６２を介して接続され、操作力伝達部４４内部の空気通路６４が駆動部３６の第二空気室５８に連通させられている。
【００３１】
ここでケーシング５６は、下部部材６６と上部部材６８とから成っており、それら下部部材６６と上部部材６８とが上下にねじ結合により固定されている。そしてそのケーシング５６に対してベローズ４８が下端部においてねじ結合により固定されている。
【００３２】
前述のようにスラストロック装置３８におけるケーシング５６は第二空気室５８の形成部材を兼ねており、このケーシング５６と上記ベローズ４８とによって第二空気室５８が形成されている。
【００３３】
ケーシング５６の内部、即ち第二空気室５８の内部には、また、ロック機構部７０が設けられている。
ロック機構部７０は、支持ピン４６に対し回転不能に設けられた下側の固定リング７２と、支持ピン４６に対して回転可能な上側の回転リング７４と、回転リング７４の動作を案内し且つ回転リング７４に係合して支持ピン４６を上昇位置に保持するための案内部７６とを有している。
【００３４】
このロック機構部７０の回転リング７４とケーシング５６における上部部材６８との間には、コイルスプリングから成る復帰ばね７８が介装されており、その復帰ばね７８により支持ピン４６が常時下向きに付勢され、また同時にベローズ４８が常時収縮方向に付勢されている。
【００３５】
図５は上記ロック機構部７０の構成とその作用を具体的に示したものである。
同図（Ａ）に示しているように、固定リング７２には上端に爪を有する突起８０が形成される一方、回転リング７４には全周に亘って下端に爪８２が形成されるとともに、周方向に所定間隔で突起８４が形成されており、通常時はその回転リング７４の突起８４が固定リング７２の突起８０の上に噛合い状態で載った状態でそれら突起８０及び８４が、図５(Ｂ)(Ｉ)に示しているように案内部７６の溝８６内部に入り込んだ状態にある。
【００３６】
この状態で支持ピン４６が上向きに持ち上げられると、突起８０及び８４が溝８６内部を上向きに上昇し、そして回転リング７４が案内部７６の上側に到ったところで、突起８０と８４との各カム面の作用で回転リング７４が（II）に示しているように所定角度回転させられる。
【００３７】
この状態で支持ピン４６が微小距離下降運動すると、（III）に示しているように回転リング７４の突起８４が案内部７６の上端部の爪に噛合い状態で載った状態となり、ここにおいて回転リング７４及び支持ピン４６の更なる下降運動が阻止される。即ち排水栓２６が、支持ピン４６及び支持軸２８を介して上昇位置、つまり開位置に保持された状態となる。
【００３８】
次に支持ピン４６が再び上向きに持ち上げられると、回転リング７４に対して若干下側に離れた位置にあった固定リング７２が一体に上昇運動し（回転リング７４は支持ピン４６及び固定リング７２に対し微小ストローク独立して上下移動可能とされている）、その際に固定リング７２の突起８０が溝８６に沿って上昇運動して、（IV）に示しているように再び回転リング７４の爪８２に当接して回転リング７４を再び微小ストローク持ち上げ、案内部７６の上端の爪から離間させる。これと同時に突起８０と爪８６との各カム面の作用で回転リング７４を再び微小角度回転させる。
【００３９】
そして（Ｖ）に示しているようにその状態で再び支持ピン４６が下降運動すると、回転リング７４の突起８４が各カム面の作用で再び案内部７６の溝８６内部に入り込み、ここにおいて支持ピン４６が下降運動して（Ｉ）の当初の状態に戻る。
【００４０】
即ちロック機構部７０は、支持ピン４６の上昇・下降運動に伴って支持ピン４６に対する上昇位置の保持とその保持の解除とを交互に繰り返して行う。つまり排水栓２６に対して開位置の保持とその保持の解除とを交互に繰り返して行う。
尚、スラストロック装置３８におけるロック機構部７０は従来公知のものであるため、ここでは更に詳しい説明は省略する。
【００４１】
図２に示しているように上記排水筒１８には、その内部に連絡管部６２が一体成形されている。この連絡管部６２は水平部８８と垂直部９０とを有しており、内部に空気通路９２を有している。
この連絡管部６２は、空気管６０側の端部が第一差込接続部９４とされ、また駆動部３６側の端部が第二差込接続部９６とされている。
第一差込接続部９４は、排水筒１８外面から横向きに突き出した突出部９８と、その内部に形成された差込穴部１００を有しており、その差込穴部１００に空気管６０の端部が差し込まれている。
【００４２】
第一差込接続部９４はまた、シール部材１０２と爪１０４と円筒形状の抜止部材１０６とを有している。
この第一差込接続部９４においては、空気管６０を差込穴部１００に差し込むと、シール部材１０２が空気管６０の外周面に密着してシール作用をなすとともに、爪１０４が空気管６０の外面に食い込んで抜止めをなす。またその爪１０４は抜止部材１０６によって突出部９８から抜止めされる。
【００４３】
尚、空気管６０を第一差込接続部９４から抜き出す際には、単に抜止部材１０６を軸方向に押し込むだけで良く、これにより簡単に空気管６０を第一差込接続部９４から抜き出すことができる。
詳しくは、抜止部材１０６を軸方向に押し込むとその先端のテーパ面１０８の作用で空気管６０の外面への爪１０４の食い込みが解除され、ここにおいて空気管６０と爪１０４との係合が外れて空気管６０を簡単に抜き出すことができる。
【００４４】
連絡管部６２の垂直部９０上端部、即ち駆動部３６側の端部の第二差込接続部９６は内側に差込穴部１１０を有している。一方駆動部３６におけるケーシング５６の下端部にはこれに対応して円筒形状の差込部１１２が設けられている。
【００４５】
差込部１１２は外周面に環状溝１１４を有していて、そこにＯリングから成るシール部材１１６が装着されている。
本例の駆動部３６は、その差込部１１２を連絡管部６２における第二差込接続部９６の差込穴部１１０に単に差し込むだけで連絡管部６２と接続状態とすることができる。
【００４６】
排水筒１８にはまた、連絡管部６２よりも大径の円筒形状の保持部４０が一体に形成されている。この保持部４０の下端部には内方に突出する係合突部１１８が形成されている。
一方ケーシング５６の下部部材６６には上記保持部４０に対応した挿入部１２０が設けられている。この挿入部１２０の外周面には環状溝１２２が形成されていて、そこにＯリングから成る固定保持部材１２４が装着されている。
【００４７】
ここで保持部４０は連絡管部６２における第二差込接続部９６と同心状に形成されており、従って駆動部３６の挿入部１２０を保持部４０に軸方向に挿入すると同時にその端部の差込部１１２を第二差込接続部９６に差し込むことができる。即ち駆動部３６の排水筒１８への取付けと連絡管部６２との接続とを、１つの動作で同時に且つ簡単に行うことができる。
【００４８】
本例の排水栓装置の場合、図１に示すように操作力伝達部４４に分岐部１２６が設けられている。
この分岐部１２６からは、枝部としての空気管が延び出しており、その空気管が対応する操作部にそれぞれ接続されている。即ち分岐部１２６の図１中右側から延びる空気管１２８ａが、水槽１２の天板部１３０に設けられた操作部４２ａに、また分岐部１２６の下側から延びる空気管１２８ｂが操作部４２ａとは離れた別異な箇所に設けられた操作部４２ｂにそれぞれ接続されている。
【００４９】
本例の分岐部１２６において、各空気管６０，１２８ａ及び１２８ｂとの接続部材１３２の構造は、上記連絡管部６２における第一差込接続部９４と同様の構成とされている。
【００５０】
図４に示すように、分岐部１２６の内部には駆動部３６と各操作部４２との空気の通路の切替を行う切替弁１３４が設けられている。この切替弁１３４は、空気圧に基づいて動作するものとされている。
この切替弁１３４の切替動作により、同図（Ａ）に示すように駆動部３６側（図中左側）と操作部４２ａ側（図中右側）とを連通させると共に、駆動部３６側と操作部４２ｂ側（図中下側）との連通を遮断し、或いは同図（Ｂ）に示すように駆動部３６側と操作部４２ａ側とを遮断すると共に、駆動部３６側と操作部４２ｂ側とを連通させることができる。
【００５１】
図３は操作部４２の具体的構造を示したもので、本例においては操作部４２ａ及び操作部４２ｂはそれぞれ同一の構造のものとされている。
同図に示しているように操作部４２は、ケーシング１３６を天板部１３０の下側に配設するとともに、天板部１３０の開口１３８に、上端にフランジを有する円筒形状の取付部材１４０を三角パッキン２４及び固定ナット１４２により取り付け、そしてその取付部材１４０の下端部とケーシング１３６の上端部に設けた円筒部１４４とを、それらのフランジ１４６において弾性クリップ１４８により互いに連結している。
【００５２】
このケーシング１３６の下端の開口部には栓体１５０が取り付けられていて、ケーシング１３６の下端開口部がその栓体１５０により閉鎖されている。
【００５３】
この栓体１５０は上向きの突出部１５２を備えており、その突出部１５２の外周面に、上下に膨張・収縮可能なベローズ１５４の下端部が気密に嵌合した状態で固定されており、そのベローズ１５４と栓体１５０とによって内側に第一空気室１５６が形成されている。
【００５４】
また栓体１５０の下端部には、上記操作力伝達部４４を構成する空気管１２８ａ又は空気管１２８ｂの端部が接続部材１３２にて接続されており、操作力伝達部４４の内部の空気通路６４が、栓体１５０の連通孔１５８を介して第一空気室１５６に連通した状態となっている。
【００５５】
この第一空気室１５６の内部即ちベローズ１５４の内部に、フランジ１６０と軸部１６２とを有する第一操作部材１６４が、第二操作部材１６６とともに収容されており、それらが復帰ばね１６８により上下方向逆向きに互いに弾発されている。
【００５６】
本例では、上記第二操作部材１６６にシール部１７０が設けられており、そしてそのシール部１７０の設けられた第二操作部材１６６が、別の復帰ばね１７２により図中上向きに付勢されている。
即ちこの例では第二操作部材１６６が、復帰ばね１６８と１７２とのばね力がバランスする位置において栓体１５０から微小距離浮き上がった位置に保持されている。
【００５７】
本例においては、第一空気室１５６の内部と外部とを連通させる空気孔１７４が栓体１５０に設けられている。ここで空気孔１７４は栓体１５０の下面で開口している。即ち天板部１３０（図３参照）の下側で開口している。
【００５８】
ケーシング１３６の内部にはまた、第三操作部材１７６の円板状の押え部１７８が収容され、更にケーシング１３６における円筒部１４４内部には第三操作部材１７６の軸部１８０が上下に摺動可能に挿入されている。
一方上記取付部材１４０の内部には、直接押込操作部材としての第四操作部材１８２の軸部１８４が上下に摺動可能に挿入されている。
【００５９】
この第四操作部材１８２は、上部が天板部１３０及び取付部材１４０よりも所定量上向きに突き出しており、その突き出した上端部に操作力の入力部１８６が設けられている。
ここで第四操作部材１８２は、その軸部１８４の下端が第三操作部材１７６の上端に当接させられている。
【００６０】
次に本例の排水栓装置の作用を以下に説明する。
本例の排水栓装置では、図１の状態において例えば操作部４２ａの入力部１８６に下向きの押込操作力を加えると、その操作力が第四操作部材１８２，第三操作部材１７６を通じてベローズ１５４に伝えられ、ベローズ１５４が収縮動作させられるとともに、併せて第一操作部材１６４，第二操作部材１６６が図中下向きに移動させられる。そしてその第二操作部材１６６のシール部１７０により空気孔１７４が閉鎖され、第一空気室１５６内部に空気圧が発生せしめられる（図３参照）。
そして発生した空気圧は、操作部４２ａの接続された空気管１２８ａを介して分岐部１２６へと導かれる。
【００６１】
分岐部１２６へと導かれた空気圧は分岐部１２６内の切替弁１３４が図４（Ａ）の状態であれば、駆動部３６側へとそのまま導かれる。この時操作部４２ｂ側は切替弁１３４によって遮断されており、これによって操作部４２ａからの空気圧が操作部４２ｂ側へと伝わってその操作力が逃げていってしまうのが防止される。
【００６２】
一方切替弁１３４が同図（Ｂ）の状態、即ち駆動部３６側と操作部４２ａ側とを遮断すると共に、駆動部３６側と操作部４２ｂ側とを連通させた状態の場合、操作部４２ａからの空気圧によって切替弁１３４が押されて同図（Ａ）の状態に切り替わり、空気圧が駆動部３６側へと導かれる。
【００６３】
駆動部３６側へと導かれた空気圧は、空気管６０及び連絡管部６２内部のそれぞれの空気通路６４，９２を通じて駆動部３６の第二空気室５８に伝えられ、これにより第二空気室５８を形成している駆動部３６側のベローズ４８が図２中上向きに膨張動作させられる。
これとともに駆動部３６における支持ピン４６が上端部において復帰ばね７８の付勢力に抗し上向きに引っ張り上げられる。
これにより排水栓２６が支持軸２８を介して上昇運動、即ち開動作させられ、排水口２０を開放する。
【００６４】
そして上昇運動した駆動部３６の支持ピン４６は、操作部４２ａの操作の解除とともにロック機構部７０のロック作用により上昇位置に保持され、排水栓２６の下降動作が阻止される。即ち排水栓２６が開位置に保持される（図６参照）。
【００６５】
さて排水栓２６を開動作させたところで入力部１８６に加えていた押込操作力を除くと、第二操作部材１６６は復帰ばね１７２の付勢力により栓体１５０から上向きに離間して空気孔１７４の開口を開放する。
ここにおいて第一空気室１５６内部の空気圧が解除されるとともにベローズ１５４が復帰ばね１６８の付勢力で再び膨張し、元形状に戻る。
尚このとき、入力部１８６もベローズ１５４の膨張動作とともに図中上向きに復帰運動して元位置に到る。
【００６６】
この操作力解除に伴う動作に際して、空気孔１７４を通じて第一空気室１５６内部に外部の空気が取り入れられ、ベローズ１５４が円滑に膨張動作することができる。
尚、駆動部３６側の第二空気室５８の空気圧も同時に解消するが、ベローズ４８はロック機構部７０のロック作用により引続き膨張状態に保持される。
【００６７】
さて次に再び入力部１８６を押込操作すると、第一空気室１５６に再び空気圧が発生する。
その空気圧は操作力伝達部４４内部の空気通路６４を通じて駆動部３６の第二空気室５８に導かれ、これによりベローズ４８が僅かに膨張動作して支持ピン４６を微小ストローク上向きに持ち上げる。
このときロック機構部７０による支持ピン４６のロック作用、即ち支持ピン４６に対する上昇位置の保持が解除される。
【００６８】
従ってこの状態で入力部１８６に加えていた操作力を除くと、駆動部３６における復帰ばね７８の付勢力によりベローズ４８が収縮動作するとともに支持ピン４６が下降運動し、これにより開位置に保持されていた排水栓２６が自重で下降運動して排水口２０を閉鎖する。
【００６９】
このとき駆動部３６側の第二空気室５８内部の空気は、操作力伝達部４４内部の空気通路６４を通じて第一空気室１５６内に入り込み、更に引き続いて空気孔１７４を通じて外部に逃げることができる。
従って駆動部３６側のベローズ４８は円滑に収縮動作することができる。
【００７０】
一方操作部４２ａとは別異の箇所に取付けられた操作部４２ｂの入力部１８６に押込操作力を加えた場合、上記操作部４２ａと同様に操作部４２ｂにおいても空気圧が発生し、空気管１２８ｂを介して分岐部１２６へと導かれる。
【００７１】
そして分岐部１２６において切替弁１３４が図４（Ａ）の状態の場合、操作部４２ｂ側からの空気圧によって切替弁１３４が操作部４２ａ側を遮断した状態（同図（Ｂ）の状態）に切り替わり、駆動部３６側と操作部４２ｂ側とが連通した状態となり、操作部４２ｂからの空気圧が駆動部３６へと導かれ、排水栓２６は上記操作部４２ａを操作した場合と同様の動作をする。
【００７２】
この場合においても、切替弁１３４によって操作部４２ａ側が遮断されており、操作部４２ｂからの空気圧が操作部４２ａ側へと伝わってその操作力が逃げていってしまうのが防止される。
【００７３】
以上のような本例の排水栓装置の場合、空気を媒体として操作力を操作部４２から排水栓２６の駆動部３６に伝達するようになしていることから、図８に示すような高価なレリーズ式の操作力伝達部を必要とせず、操作力伝達部を安価に構成することができ、またこれにより排水栓装置の所要コストを低減することができる。
【００７４】
また図８に示すワイヤレリーズ式の排水栓装置と異なり、本例の排水栓装置では予め長尺の空気管を用意しておいて適宜の長さにこれを切断して駆動部３６及び操作部４２に接続し、駆動部３６と操作部４２とを連絡することが可能で、施工現場の状況に応じて施工することができ、施工性が良好であって施工の自由度も高い。
【００７５】
加えて本例の排水栓装置では空気管から成る操作力伝達部４４に分岐部１２６を設けてそこから枝部を分岐して延出させ、対応する複数の操作部４２に連結していることから、複数の操作部４２をそれぞれ別異の箇所に設けておいて、その何れかの操作部４２を操作することで排水栓２６を動作させることができ、排水栓装置の使い勝手が飛躍的に向上する。
【００７６】
また分岐部１２６には切替弁１３４が設けられており、これによって操作部４２の操作によって供給された空気圧が複数ある他の操作部側へと伝わって逃げてしまうといったことがなく、操作部４２の操作によって供給された空気圧を良好に駆動部３６に作用させることができ、排水栓を良好に動作させることができる。
【００７７】
更に本例の排水栓装置ではその切替弁１３４を空気圧に基づいて弁の切替動作をなすようにしており、供給された空気圧によって自動的に弁の切替えを行い得て分岐部１２６ないし切替弁１３４の構造を簡素且つ安価に構成できる。
また操作部４２の操作によって供給された空気圧を確実に駆動部３６へと伝達することができる。
【００７８】
次に、図７は本発明の他の実施例を示したものである。
本例は図１に示す例の操作部４２ｂに代えて足踏式操作部１８８を設けたものである。
尚この足踏式操作部１８８は、踏込操作により空気圧を発生する点を除いて上記手操作式の操作部４２ａとその内部構造については基本的に同様である。
【００７９】
本例の場合、足踏式操作部１８８を踏込操作することで空気圧が発生し、そして発生した空気圧が空気管１２８ｂを介して分岐部１２６へと導かれる。その後の動作については図１の実施例と同様であって、足踏式操作部１８８からの空気圧によって駆動部３６が動作し、排水栓２６が開或いは閉動作させられる。
【００８０】
本例の排水栓装置においても、前記実施例と同様の効果が得られる他、本例の排水栓装置によれば、力の強い足の踏込操作によって駆動部３６を働かせ排水栓２６を開閉操作でき、容易に排水栓２６を動作させることができる。
また両手で作業をしていたり或いは両手に物を持っているような状態でも支障なく排水栓２６を動作させることができる。
【００８１】
尚本例においては手操作式の操作部４２ａと足踏式操作部１８８とを設けているが、２つ若しくはそれ以上の複数の操作部を何れも足踏式操作部となすこともできるし、或いはまた操作部を単数のみ設けてこれを足踏式操作部１８８となすといったことも可能である。
【００８２】
以上本発明の実施例を詳述したがこれはあくまで一例示である。
例えば上記実施例では分岐部１２６の切替弁１３４としてフラッパータイプのものを示したが、この形式のものに限定するものではなく、操作の行われた操作部と駆動部とを連通させ、他の操作部と駆動部との連通を遮断するようなものであれば良く、例えば逆止弁を複数組み合せて切替機能を持たせたようなものを用いることもできる。
その他本発明はその主旨を逸脱しない範囲において種々変更を加えた形態で構成可能である。
【図面の簡単な説明】
【図１】  本発明の一実施例である排水栓装置を示す図である。
【図２】  図１における駆動部の内部構造を拡大して示す図である。
【図３】  図１における操作部の内部構造を拡大して示す図である。
【図４】  図１における分岐部の内部構造を拡大して示す図である。
【図５】  図１ないし図４の実施例のロック機構部の作用を示す図である。
【図６】  図１における駆動部を図２とは異なった作用状態で示す作用図である。
【図７】  本発明の他の実施例の排水栓装置を示す図である。
【図８】  従来の排水栓装置の一例を示す図である。
【符号の説明】
１０  水槽
２０  排水口
２６  排水栓
３６  駆動部
４２  操作部
４２ａ，４２ｂ  操作部
４４  操作力伝達部
６０，１２８ａ，１２８ｂ  空気管
６４，９２  空気通路
１２６  分岐部
１３４  切替弁
１５６  空気室（第一空気室）
１７０  シール部
１７４  空気孔
【図１】
0003854002.tif 000002
【図２】
0003854002.tif 000003
【図３】
0003854002.tif 000004
【図４】
0003854002.tif 000005
【図５】
0003854002.tif 000006
【図６】
0003854002.tif 000007
【図７】
0003854002.tif 000008
【図８】
0003854002.tif 000009